(57)【要約】【課題】着用者の頭部及び耳を確実に覆い、かつ耳を覆う部位からのズレ上がりを防止した作業用帽を提供する。【解決手段】着用者１００の頭部及び耳１０２を覆う作業用帽子１０であって、着用者の頭部及び耳を覆う本体部８と、本体部の下側周縁８ｄに取り付けられ、着用者の額を保持する帯状伸縮性の前側縁取り布２と、本体部の下側周縁に取り付けられ、前側縁取り布の長手方向両端に繋がりつつ、着用者の両耳より下側を通って頸部１０４に至る部位を保持する帯状伸縮性の後側縁取り布４と、を備え、後側縁取り布は、着用者の耳の下側にフィットするよう、当該耳の下側近傍にて、上側長辺４Ｌ１が凹むように曲がる曲げ部４ｖを有する。【選択図】図１
2020204110.tif 000002
【特許請求の範囲】
【請求項１】
着用者の頭部及び耳を覆う作業用帽子であって、
前記着用者の前記頭部及び前記耳を覆う本体部と、
前記本体部の下側周縁に取り付けられ、前記着用者の額を保持する帯状伸縮性の前側縁取り布と、
前記本体部の下側周縁に取り付けられ、前記前側縁取り布の長手方向両端に繋がりつつ、前記着用者の両耳より下側を通って頸部に至る部位を保持する帯状伸縮性の後側縁取り布と、を備え、
前記後側縁取り布は、前記着用者の耳の下側にフィットするよう、当該耳の下側近傍にて、上側長辺が凹むように曲がる曲げ部を有する作業用帽子。
【請求項２】
前記曲げ部は、前記後側縁取り布の前記耳の下側の位置で、前記上側長辺が下側長辺より短くなるよう接合された縫い目によって形成されてなる請求項１に記載の作業用帽子。
【請求項３】
前記曲げ部の内側に、膨出部が形成されてなる請求項１又は２に記載の作業用帽子。
【請求項４】
前記曲げ部における前記後側縁取り布の下側長辺のなす角が１３５〜１７０度である請求項１〜３のいずれか一項に記載の作業用帽子。
【発明の詳細な説明】
【技術分野】
【０００１】
本発明は、クリーンルーム内や食品工場等での作業時に着用するヘアネット等の作業用帽子に関する。
【背景技術】
【０００２】
クリーンルーム内や食品工場等での作業時には、作業者は頭部を覆う作業用の帽子やフードを着用し、顔面からの汗や髪の毛等の異物落下を防止している。この作業用帽子として、キャップ状に着用者の頭部を覆うものが用いられており、着用者の耳の一部又は全部も覆うようになっている（特許文献１）。
【先行技術文献】
【特許文献】
【０００３】
【特許文献１】実開５９−１７２７３５号公報（第２図）
【発明の概要】
【発明が解決しようとする課題】
【０００４】
ところで、上記した特許文献１記載の技術の場合、図８に示すように、帽子１０００の周縁に縫着されたまっすぐな帯状の締帯１０２０にて、着用者１００の頭部及び耳１０２を保持するため、作業中の動作で締帯１０２０が耳１０２に沿ってズレ上がり、脱帽したり、耳１０２や毛髪が露出するという問題があった。
これは、耳１０２の表面が比較的平滑で締帯１０２０が滑り易いことと、耳１０２が頭部から突出しているため、耳１０２が締帯１０２０と点接触して滑り易いことに起因する。
【０００５】
すなわち、本発明は上記の課題を解決するためになされたものであり、着用者の頭部及び耳を確実に覆い、かつ耳を覆う部位からのズレ上がりを防止した作業用帽子の提供を目的とする。
【課題を解決するための手段】
【０００６】
本発明の作業用帽子は、着用者の頭部及び耳を覆う作業用帽子であって、前記着用者の前記頭部及び前記耳を覆う本体部と、前記本体部の下側周縁に取り付けられ、前記着用者の額を保持する帯状伸縮性の前側縁取り布と、前記本体部の下側周縁に取り付けられ、前記前側縁取り布の長手方向両端に繋がりつつ、前記着用者の両耳より下側を通って頸部に至る部位を保持する帯状伸縮性の後側縁取り布と、を備え、前記後側縁取り布は、前記着用者の耳の下側にフィットするよう、当該耳の下側近傍にて、上側長辺が凹むように曲がる曲げ部を有する。
【０００７】
この作業用帽子によれば、後側縁取り布の上側長辺４が凹むように曲がる曲げ部を有することで、曲げ部が耳の下側を外側から囲むようにフィットし、作業中の動作で作業用帽子が耳に沿ってズレ上がろうとしても、曲げ部が耳の下側に引っ掛かってズレ上がりを防止することができる。
【０００８】
本発明の作業用帽子において、前記曲げ部は、前記後側縁取り布の前記耳の下側の位置で、前記上側長辺が下側長辺より短くなるよう接合された縫い目によって形成されていてもよい。
この作業用帽子によれば、曲げ部を生地から無駄なく、かつ高い生産性で形成できる。
【０００９】
本発明の作業用帽子において、前記曲げ部の内側に、膨出部が形成されていてもよい。
着用時に曲げ部が耳の下側に来るよう、後側縁取り布を下方に引っ張りつつ作業用帽子を被ると、布の復元力で後側縁取り布が上方へ動く。このとき、曲げ部内側の膨出部が耳下の顎のライン（凹み）に引っかかり、後側縁取り布のズレ上がりをより一層防止することができる。
【００１０】
本発明の作業用帽子において、前記曲げ部における前記後側縁取り布の下側長辺のなす角が１３５〜１７０度であってもよい。
この角が１３５〜１７０度であると、曲げ部の上側長辺４が耳の下側に引っ掛かり易くなるので、より好ましい。なお角度は、帽子を被らない後側縁取り布が無負荷状態での角度である。
【発明の効果】
【００１１】
本発明によれば、着用者の頭部及び耳を確実に覆い、かつ耳を覆う部位からのズレ上がりを防止した作業用帽子が得られる。
【図面の簡単な説明】
【００１２】
【図１】本発明の実施形態に係る作業用帽子の着用状態を示す側面図である。
【図２】作業用帽子の正面図である。
【図３】後側縁取り布のダーツを形成する方法の一例を示す図である。
【図４】後側縁取り布のダーツを形成する別の方法を示す図である。
【図５】後側縁取り布の変形例を示す図である。
【図６】図５の作業用帽子の着用状態を示す図である。
【図７】後側縁取り布の別の変形例を示す図である。
【図８】従来の作業用帽子の着用状態を示す側面図である。
【発明を実施するための形態】
【００１３】
以下、本発明の実施形態に係る作業用帽子について説明する。
図１は本発明の実施形態に係る作業用帽子の着用状態を示す側面図、図２は作業用帽子の正面図、図３は後側縁取り布のダーツを形成する方法を示す図を示す。
【００１４】
図１、図２に示すように、作業用帽子１０は着用者１００の頭部及び耳１０２を覆うキャップ状に形成され、着用者１００の顔面、及び頸部１０４より下側が露出する。
作業用帽子１０は、着用者１００の頭部及び耳１０２を覆う略ドーム状の本体部８と、本体部８の下側周縁８ｄにそれぞれ取り付けられる帯状伸縮性の前側縁取り布２及び後側縁取り布４と、を有する。
作業用帽子１０は、織物または編物からなる本体部８に、前側縁取り布２及び後側縁取り布４を縫合して形成されている。本体部８も複数の布地を縫合して形成されている。
さらに、本実施形態では、本体部８の後頭部側に膨出部８ｐが一体に形成され、女性の着用者のような長髪を膨出部８ｐ内に収容できる。
但し、膨出部８ｐが無く、本体部８の後頭部側の外面が図２の一点鎖線のようにフラットでもよい。
【００１５】
本体部８の下側周縁８ｄは、着用者１００の額から耳１０２の手前まで略水平に延びた後、耳１０２に沿って垂下し、耳１０２の下側で後ろに向かって若干下がりながら頸部（うなじ）１０４に至る形状になっている。
前側縁取り布２は、着用者１００の額から耳１０２の手前まで延び、自身の長手方向両端２ｅが耳１０２の手前に対向している。前側縁取り布２は、伸縮性を有して着用者１００の額を保持する。
後側縁取り布４は、前側縁取り布２の長手方向両端２ｅに繋がりつつ、着用者１００の両耳１０２より下側を通って頸部１０４に至る部位を保持する。
ここで、本例では、後側縁取り布４の長手方向両端４ｅが、それぞれ前側縁取り布２の長手方向両端２ｅの上に重なっている。
後側縁取り布４が前側縁取り布２の長手方向両端２ｅに「繋がる」とは、このように両布２，４が重なる場合の他、両布２，４のそれぞれの端部同士を突合せて縫合等で接合してもよい。
【００１６】
次に、本発明の特徴部分について説明する。
図１に示すように、後側縁取り布４は、着用者１００の耳１０２の下側近傍にて、上側長辺４Ｌ１が（下に向かって）凹むように曲がる曲げ部４ｖを有する。
具体的には、本例では、曲げ部４ｖは、後側縁取り布４の耳１０２の下側の位置で、上側長辺４Ｌ１が下側長辺４Ｌ２より短くなるよう接合された縫い目（ダーツ）４ｄによって形成されている。
【００１７】
このように、後側縁取り布４の上側長辺４Ｌ１が凹むように曲がる曲げ部４ｖを有することで、曲げ部４ｖが耳１０２の下側を外側から囲むようにフィットし、作業中の動作で作業用帽子１０が耳１０２に沿ってズレ上がろうとしても、曲げ部４ｖが耳１０２の下側に引っ掛かってズレ上がりを防止することができる。
これに対し、曲げ部４ｖが無いと、図８に示したように、比較的滑り易い耳１０２の表面に沿って後側縁取り布４が上に滑ってしまい、ズレ上がりを防止することが困難になる。
【００１８】
次に、図３を参照し、ダーツ４ｄを形成する方法の一例を説明する。
まず、図３（ａ）に示すように、後側縁取り布素材４ｘを長手方向に沿って２つ折りし、折り側を下側長辺４Ｌ２とした後、幅方向に平行な折り線４ｆで２つ折りし、折り線４ｆより後ろ側の上側長辺４Ｌ１から下側長辺４Ｌ２と折り線４ｆの交点に向かって斜め（図３（ａ）では右上がり）に縫合線４ｍ１で縫合する。
次に、図３（ｂ）に示すように、縫合線４ｍ１を挟んで後側縁取り布素材４ｘを開き、図３（ｃ）に示すように、縫合線４ｍ１と折り線４ｆで囲まれた三角形の部位を後側に倒して折り畳む。
そして、図３（ｄ）に示すように、折り線４ｆの内側に沿って縫合線４ｍ２で縫合するとダーツ４ｄが完成する。
【００１９】
ここで、縫合線４ｍ１と折り線４ｆで囲まれた三角形の部位が縫合線４ｍ２で縫合することでダーツ４ｄ前方の後側縁取り布４と面一になる。このため、ダーツ４ｄにおける後側縁取り布４の厚みは、後側縁取り布４の表側部分４ｓにて２枚分、裏側部分４ｐにて４枚分であり、ダーツ４ｄの内側（着用者側）に、上記した裏側部分（膨出部）４ｐが膨らんで形成される。
【００２０】
このように、ダーツ４ｄの内側に膨出部４ｐが形成されると、以下のような効果がある。つまり、図１に示すように、着用時に曲げ部４ｖが耳１０２の下側に来るよう、後側縁取り布４を太矢印のように下方に引っ張りつつ作業用帽子１０を被ると、布の復元力で後側縁取り布４が上方へ動く。このとき、ダーツ４ｄ内側の膨出部４ｐが耳下の顎１０３のライン（凹み）に引っかかり、後側縁取り布４のズレ上がりをより一層防止することができる。
又、図３（ｄ）に示すように、曲げ部４ｖにおける後側縁取り布４の下側長辺４Ｌ２のなす角θが１３５〜１７０度であると、曲げ部４ｖの上側長辺４Ｌ１が耳１０２の下側に引っ掛かり易くなるので、より好ましい。なお角度θは、帽子１０を被らない後側縁取り布４が無負荷状態での角度である。
【００２１】
ダーツの形成方法は図３に限定されず、例えば、図４に示すようにしてもよい。
まず、図４（ａ）に示すように、後側縁取り布素材４ｘを幅方向に平行な折り線４ｆで２つ折りし、折り線４ｆより後ろ側の上下の辺（上側長辺となる）４Ｌ１から幅方向中央にて長手方向に延びる線（下側長辺となる）４Ｌ２と折り線４ｆの交点に向かって斜め（図４（ａ）では上辺から左下がり、下片から左上がり）にそれぞれ縫合線４ｍ３，４ｍ３で縫合する。
次に、図４（ｂ）に示すように、縫合線４ｍ３を挟んで後側縁取り布素材４ｘを開き、図４（ｃ）に示すように、線（下側長辺となる）４Ｌ２で折り畳む。
そして、図４（ｅ）に示すように、折り線４ｆと縫合線４ｍ３で挟まれた三角形の部位を中に折込んで、おもてに現れた縫合線４ｍ３の近くで全体を縫合するとダーツ４ｄが完成する。
【００２２】
ここで、図４（ｄ）に示すように、ダーツ４ｄにおける後側縁取り布４の厚みは、後側縁取り布４の表側部分４ｔ２にて３枚分（最上部１枚+その下１枚+その下１枚）、裏側部分４ｔ１にて３枚分（最下部１枚＋その上１枚＋その上１枚）であり、図３のダーツに比べ、ダーツ４ｄの内側（着用者側）裏側部分（膨出部）４ｔ１の膨らみが小さい。
従って、膨出部４ｐの膨らみが大きい図３のダーツの方がより好ましい。
【００２３】
本発明は上記実施形態に限定されず、本発明の思想と範囲に含まれる様々な変形及び均等物に及ぶことはいうまでもない。
本発明において、「取り付け」、「接合」は縫合、ホットメルト接着剤等の接着剤による接着、溶着等により行うことができる。ダーツの形成においても、接合方法は限定されない。帽子や縁取り布の全部または一部は、ホールガーメントや成型などにより行うことができる。
【００２４】
曲げ部の形状も限定されない。例えば図１、図３のような１つのダーツによるＶ字形の他、図５のように、２つ以上のダーツ４０ｄ１，４０ｄ２を長手方向に離間して設け、上側長辺４０Ｌ１側を２つの曲げ部４０ｖ１、４０ｖ２として凹ませてもよい。
【００２５】
図５のダーツ４０ｄ１，４０ｄ２を設けた場合、図６に示すように、前側のダーツ４０ｄ１を耳１０２に合わせて着用すると、曲げ部４０ｖ１、４０ｖ２が２段階になっているため、後側縁取り布４０のうち、後側のダーツ４０ｄ２を両端とする後背部４０Ｂが首筋でほぼ水平を向く。このため、後背部４０Ｂが首筋をしっかりとホールドし、帽子１０Ｂがブレ難いという効果がある。
又、図７のように、布地が無駄になるが、予め上側長辺４Ｌ１側の曲げ部の凹みが曲線部４ｒになるように切った布地を用い、上側長辺４Ｌ１側の凹みを曲線にしてもよい。
又、縫い目（ダーツ）の形成方法も限定されないし、凹みを形成する縫い目はダーツに限らず、２枚の布をつないでもよい。
作業用帽子としては、キャップの他、ヘアネットにすることもできる。
【符号の説明】
【００２６】
２    前側縁取り布
４、４０    後側縁取り布
４ｄ、４０ｄ１、４０ｄ２    縫い目（ダーツ）
４ｖ、４ｒ、４０ｖ１、４０ｖ２    曲げ部
４Ｌ１，４０Ｌ１    上側長辺
４Ｌ２，４０Ｌ２    下側長辺
８    本体部
８ｄ    本体部の下側周縁
１０，１０Ｂ    作業用帽子
１００    着用者
１０２    耳
１０４    頸部
【図１】
2020204110.tif 000003
【図２】
2020204110.tif 000004
【図３】
2020204110.tif 000005
【図４】
2020204110.tif 000006
【図５】
2020204110.tif 000007
【図６】
2020204110.tif 000008
【図７】
2020204110.tif 000009
【図８】
2020204110.tif 000010